(57)【特許請求の範囲】
【請求項１】
コンパクト等のケースに装着されるとともに化粧料を収容する収容面を有する容器（１）において、その容器の収容面に、化粧料を入り込ませて当該化粧料との間における相補形状による機械的結合によって前記化粧料を掛止する掛止穴（1a）を具えることを特徴とする、化粧料容器。
【請求項２】
前記掛止穴（1a）は入口よりも奥の方が広い形状を有することを特徴とする、請求項１記載の化粧料容器。
【請求項３】
前記掛止穴（1a）は、二層構造により形成されたものであることを特徴とする、請求項２記載の化粧料容器。
【請求項４】
前記掛止穴（1a）は貫通穴であるとともに、前記容器（１）裏面には前記貫通穴を封止する封止部材（２）が設けられていることを特徴とする、請求項１から請求項３までのいずれか一項に記載の化粧料容器。
【請求項５】
前記掛止穴（1a）が止まり穴であることを特徴とする、請求項１から請求項３までのいずれか一項に記載の化粧料容器。
【請求項６】
請求項1から請求項５までのいずれか一項に記載の化粧料容器（１）を装着されたことを特徴とする、コンパクト等のケース。
【発明の詳細な説明】
【０００１】
【発明の属する技術分野】
この発明は、ファンデーション等の化粧料を収容するための容器に関するものである。
【０００２】
【従来の技術】
従来、粉末のファンデーション等の化粧料はいわゆるコンパクト等のケースに収めて使用されている。かかる化粧料の容器としては、一般的に、金属製やプラスチック製等の皿状のリフィル用容器等に化粧料を充填し、その化粧料をプレス等でその容器の皿形状を呈する内側収容面に圧着してその容器に保持させ、その容器をコンパクト等のケース内にセットして使用するものが知られている。そして、前述の如き化粧料の容器において、その容器の収容面に化粧料を保持する構造としては、例えば、実開平４−５６４１０号公報に開示された化粧料容器における保持構造が知られている。ここにおける化粧料容器は、化粧料を充填するその皿状の容器の内周壁に断面Ｕ字状の細い凹溝が多数形成されたものであることから、かかる容器に化粧料を収容した際に、それら断面Ｕ字状の凹溝内に化粧料が嵌入されて、その化粧料容器に対する化粧料の保持性を高くできるとともに、消費者が化粧料を使用する際に、その化粧料の塗布に用いるパフ等の摩耗を防止し得るものである。
【０００３】
しかしながら、上記従来の化粧料容器は、その容器の前述の断面Ｕ字状の細い溝の側壁が収容面に対し垂直方向へ延在しているため、その垂直方向についての化粧料の保持力が前記側壁と化粧料との間の摩擦力のみからなり、充分な保持力が得られない。それゆえ、その化粧料容器では、例えば容器の落下等により外力が生じると、化粧料全体がその容器の収容面から剥離してしまう可能性がある。
【０００４】
【発明が解決しようとする課題】
この発明は、ファンデーション等の化粧料が収容された化粧料容器において、その容器内に収容された化粧料が、その化粧料容器の落下等の衝撃により割れて粉々になってしまうことを防止でき、また、残存化粧料の減少に伴って収容面から剥離することを防止できる化粧料容器を提供するものである。
【０００５】
【課題を解決するための手段およびその作用・効果】
この発明は、上記課題を有利に解決した化粧料容器を提供することを目的とするものであり、この発明の化粧料容器は、コンパクト等のケースに装着されるとともに化粧料を収容する収容面を有する容器において、その容器の収容面に、化粧料を入り込ませて当該化粧料との間における相補形状による機械的結合によって前記化粧料を掛止する掛止穴を具えることを特徴とするものである。
【０００６】
この発明の化粧料容器にあっては、掛止穴で、その化粧料容器に収容された化粧料を掛止させる。換言すれば、ここにおける「掛止」とは、化粧料と化粧料容器の掛止穴との間における相補形状による機械的結合であって、「いわゆる形状結合」をいう。従って、この発明の化粧料容器によれば、掛止穴が、その掛止穴内の化粧料を掛止することで容器内の化粧料を保持するので、収容面に対する垂直方向についての化粧料の保持力を充分得ることができ、化粧料容器内全体の化粧料をその容器の収容面に確実に保持させることができる。このことから、その容器に収容された化粧料がその容器の落下等の衝撃により割れて粉々になってしまうことを防止でき、また、残存化粧料の減少に伴って収容面から剥離することを防止できる。
【０００７】
また、この発明の化粧料容器では、掛止穴が入口よりも奥の方が広い形状を有していても良く、このようにすれば、容器の掛止穴の内径が入り口から奥の方へ向かって連続的または段階的に拡大することにて形成される、その掛止穴の入口の周囲の部分によって、その掛止穴の奥に入った化粧料が掛止されることから、その掛止穴内に入った化粧料をそこに留めておくことができる。それゆえ、より確実に化粧料容器内の化粧料全体をその容器の収容面に保持させることができる。
【０００８】
さらに、この発明の化粧料容器は、掛止穴が、二層構造により形成されたものであっても良く、このようにすれば、互いに大小異なる径の掛止穴を有する部材同士を組み合わせたり、インバース形状等の貫通穴を有する部材とその貫通穴より大きい凹部を有する部材とを組み合わせたりすることで、入口よりも奥の方が広い掛止穴を簡易に形成することができる。
【０００９】
なお、この発明の化粧料容器は、掛止穴が貫通穴であるとともに、かかる化粧料容器の裏面には掛止穴を封止する封止部材が設けられていても良く、このようにすれば、コンパクト等のケースの使用中においては、封止部材で、化粧料容器の掛止穴に入り込んだ化粧料を、その化粧料容器の裏面からその容器の外側に出てしまうのを防止することができる。
【００１０】
そして、この発明のコンパクト等のケースは、上記した化粧料容器を装着されたことを特徴とするものである。この発明のコンパクト等のケースによれば、上記いずれかの化粧料容器を装着しているので、上記いずれかの化粧料容器と同様に、化粧料容器内全体の化粧料をその容器の収容面に確実に保持させることができる。このことから、その化粧料容器に収容された化粧料が、かかるコンパクト等のケースの落下等の衝撃により割れて粉々になってしまうことを防止でき、また、残存化粧料の減少に伴って収容面から剥離することを防止できる。
【００１１】
【発明の実施の形態】
以下に、この発明の実施の形態を実施例によって、図面に基づき詳細に説明する。ここに図１(a)は、コンパクトに装着されるこの発明の化粧料容器の一実施例を示す斜視図、図１(b)は、図１(a)中のB部を拡大して示す斜視図であり、図２は、この実施例の化粧料容器の一部を図１(a)中のA−A線に沿う断面図である。この実施例の化粧料容器１は、一般的にファンデーション等の化粧料を収容するためにリフィル用容器として用いられるものであり、その容器１は、プラスチック材料から例えば射出成形等により形成された図示しないコンパクトに設けられた化粧料容器装着用凹部にはめ込まれることでそのコンパクトに装着される。また、そのコンパクトには、化粧料を塗布するためのパフ等の塗布部材を収容する凹部も形成されている。
【００１２】
ここにおける化粧料容器１は、プラスチック材料から例えば射出成形等により形成された皿状の容器である。そして、その容器１の底部には、貫通穴である図2に示すような断面逆Ｔ字状の形状を有する掛止穴1aが一個又は複数個（図１では四隅付近に一個ずつ計四個）設けられている。かかる掛止穴1aは、図２に示すように、掛止穴1aの内径を入り口から奥の方へ向かって段階的に拡大させているので、その入り口（容器１の皿形状の内側の収容面側）よりも奥の方（容器１の裏面側）が広い形状となっており、これにより、容器１が、掛止穴1aの中心に向かって環状にせり出した、入口の周囲の部分３を備えることとなる。
【００１３】
さらに、その容器１の裏面には、図２に示すように、その掛止穴1aを封止するものとしてプラスチック製フィルムである封止部材２が設けられている。なお、この実施例における封止部材２は、化粧料容器１の裏面から上記貫通穴を封止し得るものであれば良く、紙、不織布等の布あるいは金属等であっても良いが、化粧料が水分等を含んでいるものである場合には、さらに水密性を有する素材からなる封止部材を使用することが望ましい。また、化粧料容器１は、例えばアルミニウム等の金属からなるものであっても良い。
【００１４】
かかる実施例の化粧料容器１に化粧料を収容する際には、その容器１に粉末状のファンデーション等の化粧料を充填し、その化粧料をプレス等で容器１の皿形状の内側の収容面に圧着してその容器１に保持させる。これにより、化粧料が容器１の皿形状の内側に収容されるとともに、その容器１の前述した各掛止穴1a内にも化粧料が入り込むこととなる。その後、容器１の裏面に接着剤や粘着剤等によって封止部材２を貼着して容器１の裏面側の掛止穴1aを掛止しておく。
【００１５】
そして、上記の化粧料を収容した容器１を上述の図示しないコンパクトに装着するに際しては、上述のようにして、化粧料を収容するとともに裏面に封止部材２を貼着された容器１を、コンパクトの化粧料容器装着用凹部に嵌め合わせて固定する。なお、この実施例においては、容器１をコンパクトに嵌め合わせるための手段として、一般的なコンパクトと同様に、各々の容器に掛合部を設けて掛合させる等により行うものとする。
【００１６】
この実施例の化粧料容器にあっては、容器１の底部に設けた掛止穴1a内に化粧料が入り込んでおり、その掛止穴1a内に入り込んだ化粧料を、掛止穴1aの周囲の部分３で掛止することで、容器１内の化粧料を保持している。従って、この実施例の化粧料容器によれば、収容面に対する垂直方向についての化粧料の保持力を充分得ることができ、化粧料容器内全体の化粧料をその容器の収容面に確実に保持させることができる。
【００１７】
このことから、その化粧料容器内に収容された化粧料がその化粧料容器又はそれを装着したコンパクトの落下等の衝撃により割れて粉々になってしまうことを防止でき、また、残存化粧料の減少に伴って収容面から剥離することを防止できる。なお、掛止穴1aは収容面に対して凹んで設けられるので、消費者が化粧料を使用する際に、その化粧料の塗布に用いるパフ等の摩耗を防止することができる。
【００１８】
加えて、この実施例の化粧料容器では、上記掛止穴1aが、入口（容器１の収容面側）よりも奥の方（容器１の裏面側）が広い形状とされているので、それにより形成された周囲の部分３によって、その掛止穴1aの奥に入った化粧料が掛止されることから、その掛止穴1a内に入った化粧料をその掛止穴1a内に留めておくことができる。それゆえ、より確実に化粧料容器１内の化粧料全体をその容器１の収容面に保持させることができる。
【００１９】
しかも、この実施例の化粧料容器にあっては、上記掛止穴1aが貫通穴であるとともに、上記化粧料容器１の裏面にはかかる掛止穴1aを封止する封止部材２が設けられている。このことから、化粧料容器１の使用中においては、封止部材２で、容器1の掛止穴1aに入り込んだ化粧料を、その容器1の裏面からその容器１の外側に出てしまうのを防止することができる。
【００２０】
図３は、上記化粧料容器の掛止穴の各種変形例を示す断面図である。ここで、図３(a)〜(c)は掛止穴として、奥にゆくにつれて内径が連続的または段階的に拡大したインバース形状の止まり穴を切削により形成した例、図３(d)，(e)は掛止穴として、一層構造で貫通穴を形成したものであり、図３(f)〜(h)は二層構造で掛止穴を形成したものである。かかる図３(a)〜(c)に示す変形例によれば、簡易な構成で、この実施例と同様に、入口（容器１の収容面側）よりも奥の方（容器１の裏面側）が広い形状である掛止穴を形成することができる。
【００２１】
また、図３(d)，(e)に示す変形例では、掛止穴が、貫通穴であることから、この実施例に適用し得る掛止穴を、上記図３(a)〜(c)に示す掛止穴よりもより簡易に形成することができ、図３(f)〜(h)に示す変形例によれば、この実施例に適用し得る掛止穴をさらに簡易に形成することができる。なお、図３(a)〜(c)，(h)では、化粧料容器１の裏面側の掛止穴1aを止まり穴としていることから、化粧料容器１の裏面の封止部材２を不要とすることができる。
【００２２】
また、この発明のコンパクト等のケースの一実施例であるコンパクトは、図示しないが上記の化粧料容器１を装着されたものである。従って、この実施例のコンパクトは、先の実施例の化粧料容器を使用することによって、その実施例の化粧料容器と同様に、化粧料容器１内全体の化粧料をその容器１の収容面に確実に保持させることができる。このことから、その化粧料容器１に収容された化粧料が、その容器１を装着したコンパクトの落下等の衝撃により割れて粉々になってしまうことを防止でき、また、残存化粧料の減少に伴って収容面から剥離することを防止できる。
【００２３】
なお、化粧料容器１内に収容された化粧料は、一般に、パフ等に付着させて使用するものであることから、通常、化粧料容器１の中央部分に位置する化粧料から先に減り、四隅付近に化粧料が残存することとなるが、この実施例における掛止穴1aは四隅付近に一個ずつ設けているので、化粧料を使い終わるまで、その化粧料容器１内の化粧料を確実に保持することが可能となる。
【００２４】
以上、図示例に基づき説明したが、この発明の化粧料容器では、掛止穴を、例えば図3に示すような複数種類の掛止穴の形状を組み合わせて設けることとしても良い。また、化粧料容器の掛止穴を、化粧料容器の収容面の底部だけでなく、さらに、その収容面の側部や、その側部と底部とで形成された角（境目）にも設けても良い。加えて、掛止穴を、入り口から奥の方へ向かって内径を複数段階拡大させて形成しても良い。そして、この発明の化粧料容器が装着されるケースはコンパクトに限られず、鏡やパフ収容用スペース等のないケースでも良く、この点はこの発明のケースにおいても同様である。
【図面の簡単な説明】
【図１】  (a)は、コンパクトに装着されるこの発明の化粧料容器の一実施例を示す斜視図、(b)は、(a)中のB部を拡大して示す斜視図である。
【図２】  上記実施例の化粧料容器の一部を図１(a)中のA−A線に沿う断面図である。
【図３】  上記実施例の化粧料容器の掛止穴の各種変形例を示す断面図である。
【符号の説明】
１  化粧料容器
1a  掛止穴
２  封止部材
３  周囲の部分
【図１】
0003898868.tif 000002
【図２】
0003898868.tif 000003
【図３】
0003898868.tif 000004